(57)【特許請求の範囲】
【請求項１】
羽根室を構成するために所定の間隔を空けて相互に取り付けられていて結像面の直前位置において被写体光の光路を規制するための長方形の開口部を形成した二つの地板と、前記二つの地板の間に配置されていて前記開口部の側方位置において前記二つの地板の一方に一端部を枢着された複数のアームと、それらのアームに対して平行リンク機構を達成するようにして取り付けられた所定枚数の羽根と、撮影開始信号により第１ばねの付勢力で前記アームの一つを往動させ前記羽根に前記開口部を全開にさせる第１駆動部材と、撮影終了信号により第２ばねの付勢力で前記第１駆動部材を前記第１ばねの付勢力に抗して作動させ前記アームの一つを復動させることによって前記羽根に前記開口部を閉鎖させる第２駆動部材と、を備えていて、前記第１駆動部材は、前記第２駆動部材が前記第２ばねの付勢力に抗してセットされるときには係止部材によって係止されていて、その係止を前記撮影開始信号に応じて解除され、前記係止部材は、前記第１駆動部材が前記第１ばねの付勢力に抗して前記第２駆動部材によって作動させられたとき、その作動中に前記第１駆動部材に接触して該作動に制動を与えるようにしたことを特徴とするカメラ用フォーカルプレンシャッタ。
【請求項２】
前記第１駆動部材は、前記第２駆動部材が前記第２ばねの付勢力に抗してセットされる過程で、セット手段によって前記係止部材による係止を解除されて第２の係止部材に係止され、その第２の係止部材による係止を前記撮影開始信号に応じて解除されるようにしたことを特徴とする請求項１に記載のカメラ用フォーカルプレンシャッタ。
【請求項３】
前記第１駆動部材と前記アームの一つとが単一部材として構成されていることを特徴とする請求項１又は２に記載のカメラ用フォーカルプレンシャッタ。
【発明の詳細な説明】
【０００１】
【発明の属する技術分野】
本発明は、結像面の直前位置に設けられた長方形の開口部を、撮影時において開閉させるようにしたカメラ用フォーカルプレンシャッタに関する。
【０００２】
【従来の技術】
通常のカメラ用フォーカルプレンシャッタは、先羽根（群）と後羽根（群）とを備えていて、カメラの不使用時においては、結像面の直前位置に設けられている長方形の開口部を先羽根（群）が覆っており、撮影時においては、先羽根（群）と後羽根（群）を所定の時間間隔で同一方向へ作動させ、撮影終了直後においては、上記の開口部を後羽根（群）が覆うようにしている。そして、シャッタをセットするときには、先羽根（群）と後羽根（群）の両方を、それらのセット位置まで同一方向へ作動させるようにしている。また、このような構成のフォーカルプレンシャッタは、フィルム使用のカメラだけではなく、ＣＣＤなどの撮像素子を用いた電子カメラにも採用できることが知られている（例えば、特公平３−７９９１２号公報参照）。
【０００３】
【発明が解決しようとする課題】
ところで、フォーカルプレンシャッタは、従来より高級カメラに内蔵されるものとして知られており、高速撮影が精度よく行なえるようにしたり、高感度フィルムを用いても漏光の心配がないようにするなど、高度の性能を要求され続けてきた。従って、一方では小型化や低コスト化が要求されているとはいうものの、それらは、あくまでも高性能が得られた上でのことであって、このような要求は、現在でも大勢として変わりがないといっても過言ではない。しかしながら、最近では、レンズ交換が可能であれば、高速化や高性能化は二の次であって、先ずは小型化・低コスト化であるという要求が出てきているのも事実である。
【０００４】
また、最近多くなってきたＣＣＤなどの撮像素子を用いた電子カメラの場合には、従来のフィルムを用いるカメラのシャッタや上記した公報に記載のシャッタのように、二つのシャッタ羽根（群）で形成されるスリットによって結像面の露光制御を行なうのではなく、撮像素子を電気的に制御することによって撮影を行い、次の撮影が行なわれるまでは、撮像素子の全面をシャッタによって覆っておくようにしたものがある。そして、そのようなカメラに採用されるフォーカルプレンシャッタの場合には、先ずは、小型化と低コスト化が要求されることになる。
【０００５】
しかしながら、従来の構成のカメラ用フォーカルプレンシャッタでは、二つのシャッタ羽根（群）を有しているために、部品点数が極めて多く且つ加工工程も多くなってしまって低コスト化が極めて困難であり、また、被写体の光路を規制する開口部を全開にしたとき、二つのシャッタ羽根（群）の収容スペースを別々に設けなければならないため、小型化も極めて困難であるという問題点を有している。
【０００６】
本発明は、このような問題点を解決するためになされたものであり、その目的とするところは、地板に枢着されている複数のアームに、平行リンク機構を構成するようにして所定数枚の羽根を取り付け、撮影開始信号によってそのアームの一つを往動させ、撮影終了信号によって復動させるようにしただけの小型化と低コスト化に適した簡易型のカメラ用フォーカルプレンシャッタを提供することである。
【０００７】
【課題を解決するための手段】
上記の目的を達成するために、本発明のカメラ用フォーカルプレンシャッタは、羽根室を構成するために所定の間隔を空けて相互に取り付けられていて結像面の直前位置において被写体光の光路を規制するための長方形の開口部を形成した二つの地板と、前記二つの地板の間に配置されていて前記開口部の側方位置において前記二つの地板の一方に一端部を枢着された複数のアームと、それらのアームに対して平行リンク機構を達成するようにして取り付けられた所定枚数の羽根と、撮影開始信号により第１ばねの付勢力で前記アームの一つを往動させ前記羽根に前記開口部を全開にさせる第１駆動部材と、撮影終了信号により第２ばねの付勢力で前記第１駆動部材を前記第１ばねの付勢力に抗して作動させ前記アームの一つを復動させることによって前記羽根に前記開口部を閉鎖させる第２駆動部材と、を備えていて、前記第１駆動部材は、前記第２駆動部材が前記第２ばねの付勢力に抗してセットされるときには係止部材によって係止されていて、その係止を前記撮影開始信号に応じて解除され、前記係止部材は、前記第１駆動部材が前記第１ばねの付勢力に抗して前記第２駆動部材によって作動させられたとき、その作動中に前記第１駆動部材に接触して該作動に制動を与えるようにする。
その場合、前記第１駆動部材は、前記第２駆動部材が前記第２ばねの付勢力に抗してセットされる過程で、セット手段によって前記係止部材による係止を解除されて第２の係止部材に係止され、その第２の係止部材による係止を前記撮影開始信号に応じて解除されるようにすると、前記第１駆動部材の係止が確実に行え、その上、制動も好適に行える構成にすることが可能になる。
更に、前記第１駆動部材と前記アームの一つとが単一部材として構成されているようにすると、全体構成を簡単にすることが可能になる。
【０００８】
【発明の実施の形態】
本発明の実施の形態を、図１〜図６に示した実施例によって説明する。これらの図面は、何れもカメラに組み込まれた状態において、実施例のシャッタを被写体側から視た平面図であるが、シャッタの右半分については、本発明にとって特に重要ではなく、且つ当業者であれば周知のシャッタ構成に準じて理解することが可能であるため、左側の約半分を示したものである。そして、図１は撮影が終了した直後におけるシャッタの閉鎖状態を示したものであり、図２はセット作動を開始した直後の状態を示したものであり、図３はセット作動中における図２よりも後の状態を示したものであり、図４はオーバーセット状態を示したものであり、図５はセット状態を示したものであり、図６はシャッタの開放状態を示したものである。尚、各図とも、図面を見やすくするために、各部材を付勢しているばねについては、図示を省略してある。
【０００９】
先ず、本実施例の構成を説明する。シャッタ地板１には、その略中央部に長方形を横長にした開口部１ａが形成されている。しかし、上記したように、各図は実施例の左側の約半分を示したものであるため、その開口部１ａは一部だけが示されている。また、シャッタ地板１の背面側には、所定の間隔を空けて図示していない補助地板が取り付けられていて、それらの地板の間に羽根室を形成している。更に、その補助地板にも、開口部１ａと類似の開口部が形成されていて、その開口部を開口部１ａと重ねるように配置して被写体光の光路枠、即ち被写体像の画枠を規制するようにしている。
【００１０】
また、シャッタ地板１には、その開口部１ａの左側に、円弧状の長い孔１ｂと短い孔１ｃ，１ｄとが形成されている。更に、シャッタ地板１の表面側（被写体側）には、軸１ｅ，１ｆ，１ｇ，１ｈ，１ｉ，１ｊ，１ｋ，１ｍと柱１ｎ，１ｐが立設されている。そして、それらのうち、軸１ｅ，１ｇは、シャッタ地板１の背面側にも突き出ている。また、柱１ｎには環状の緩衝部材２が取り付けられており、柱１ｐは、後述する第１セット部材１０のストッパの役目をするためのものである。
【００１１】
次に、シャッタ地板１の表面側において、上記の各軸に取り付けられている部材を、順を追って説明する。先ず、軸１ｅには、第１駆動部材３と第２駆動部材４が回転可能に取り付けられている。そのうち、第１駆動部材３は、第２駆動部材４よりもシャッタ地板１側に配置されていて、図示していないばねによって反時計方向へ付勢されている。また、この第１駆動部材３は、被係止部３ａと、同軸上に設けられたピン３ｂ，３ｃを有していて、背面側に設けられているピン３ｃの先端部は、シャッタ地板１の孔１ｂを貫通して、羽根室内に臨んでいる。他方、第２駆動部材４は、第１駆動部材３を付勢しているばねよりも強いばねによって時計方向へ回転するように付勢されている。そして、ローラ４ａ，被係止部４ｂ，押動部４ｃを有していて、その押動部４ｃが、第１駆動部材３のピン３ｂを押すようになっている。
【００１２】
シャッタ地板１の軸１ｆには、第１駆動部材用第１係止部材５が、回転可能に取り付けられている。そして、この第１駆動部材用第１係止部材５は、軸１ｆに取り付けられた図示していない板ばねによって軸１ｆの軸方向へ付勢されており、その付勢力による摩擦抵抗力によって所定の回転位置での姿勢が保たれるようになっている。また、この第１駆動部材用第１係止部材５は、第１駆動部材３のピン３ｂを係止するための係止部５ａと、第１駆動部材３のピン３ｃによって押される被押動部５ｂと、緩衝部材２に当接する二つの腕部５ｃ，５ｄとを有している。
【００１３】
シャッタ地板１の軸１ｇには、第１駆動部材用第２係止部材６が、回転可能に取り付けられていて、図示していないばねによって時計方向へ回転するように付勢されている。そして、この第１駆動部材用第２係止部材６は、第１駆動部材３の被係止部３ａを係止するための係止部６ａと、被押動部６ｂと、係合部６ｃとを有しているが、それらは何れも折曲部として形成されており、係合部６ｃは、シャッタ地板１の孔１ｄに挿入されている。
【００１４】
シャッタ地板１の軸１ｈには、第２駆動部材用係止部材７が、回転可能に取り付けられており、図示していないばねによって時計方向へ回転するように付勢されている。そして、この第２駆動部材用係止部材７には、第２駆動部材４の被係止部４ｂを係止する係止部７ａと、被押動部７ｂとが、折曲部で形成されている。また、この第２駆動部材用係止部材７は、図１の状態においては、被押動部７ｂが、図示していない電磁石の鉄片部材に接触することによって、この姿勢を保たされている。即ち、図１の状態においては、電磁石は非通電状態であって、鉄片部材は、ばねの付勢力によって離反位置にあるところへ、その付勢力よりも弱いばねの付勢力によって、被押動部７ｂが接触した状態となっている。
【００１５】
シャッタ地板１の軸１ｉには、解除部材８が、回転可能に取り付けられており、図示していないばねによって時計方向へ回転するように付勢されている。そして、この解除部材８は、第１駆動部材用第２係止部材６の被押動部６ｂを押す押動部８ａと、ローラ８ｂと、ピン８ｃ、被係止部８ｄとを有しているが、そのうちピン８ｃは、背面側に設けられていて、シャッタ地板１の孔１ｃに挿入されている。また、上記のばねの付勢力は、第１駆動部材用第２係止部材６を付勢しているばねより強いため、図１においては、解除部材８は、そのピン８ｃが孔１ｃの下端縁に当接するまで回転しており、それによって押動部８ａが、第１駆動部材用第２係止部材６を反時計方向へ回転させている。
【００１６】
シャッタ地板１の軸１ｊには、解除部材用係止部材９が、回転可能に取り付けられており、図示していないばねによって反時計方向へ回転するように付勢されている。そして、この解除部材用係止部材９には、解除部材８の被係止部８ｄを係止する係止部９ａと、被押動部９ｂとが、折曲部で形成されている。また、この解除部材用係止部材９は、図１の状態においては、被押動部９ｂが、図示していない電磁石（上記の第２駆動部材用係止部材７の説明における電磁石とは異なる電磁石）の鉄片部材に接触することによって、第２駆動部材用係止部材７の場合と同様にして、この姿勢を保たされている。
【００１７】
シャッタ地板１の軸１ｋには、第１セット部材１０が、回転可能に取り付けられており、図示していないばねによって反時計方向へ回転するように付勢されているが、図１には、その回転を柱１ｐによって阻止されている状態が示されている。そして、この第１セット部材１０は、図示していない部材によって操作されるローラ１０ａと、押動部１０ｂとを有している。
【００１８】
シャッタ地板１の軸１ｍには、第２セット部材１１が、回転可能に取り付けられており、図示していないばねによって反時計方向へ回転するように付勢されているが、図１においては、ローラ１１ａが上記の押動部１０ｂに接触することによって、その回転を阻止されている。そして、この第２セット部材１１は、ローラ１１ａのほかに、もう一つのローラ１１ｂと、ピン１１ｃと、孔１１ｄとを有していて、図１の状態においては、ローラ１１ｂが、第２駆動部材４のローラ４ａに接触し、第２駆動部材４の時計方向への回転を阻止している。また、ピン１１ｃは、第２セット部材１１が時計方向へ回転されたとき、上記した図示されていない二つの鉄片部材を、夫々の電磁石に接触させるためのものである。
【００１９】
また、上記の軸１ｋには、第１セット部材１０のほかに、第３セット部材１２が、回転可能に取り付けられていて、その第３セット部材１２は、カム形状をした押動部１２ａと、表面側に立設した軸１２ｂと、その軸１２ｂと同心的に背面側に設けたピン１２ｃとを有している。そのうち、押動部１２ａは、解除部材８のローラ８ｂを押す部位であり、ピン１２ｃは、第１駆動部材用第１係止部材５の腕部５ｃを押すための部位である。
【００２０】
更に、上記の第２セット部材１１と第３セット部材１２との間には、連結部材１３が取り付けられている。そして、その取り付け方は、連結部材１３を第３セット部材１２の軸１２ｂに回転可能に取り付け、第２セット部材１１の孔１１ｄを連結部材１３の軸１３ａに対して回転可能に嵌合させるようにしている。
【００２１】
次に、シャッタ地板１の背面側に取り付けられているシャッタ羽根の構成を説明するが、本実施例の場合には、フォーカルプレンシャッタであるにもかかわらず、通常のシャッタのように、撮影に際してスリットを形成しないので、シャッタ羽根は一つしか設けられていない。そして、本実施例のシャッタ羽根は、二つのアーム１４，１５と、５枚の羽根１６，１７，１８，１９，２０とで構成されている。そして、アーム１４，１５は、それらの一端部が、羽根室に突き出している軸１ｅ，１ｇに、回転可能に取り付けられている。また、羽根１６，１７，１８，１９，２０は、アーム１４，１５の他端部に向けて、夫々二つの連結軸を介して順に枢支されているが、その各枢支構成は周知であるので、詳細な説明は省略する。そして、アーム１４には孔が形成されており、その孔には、上記した第１駆動部材３のピン３ｃが回転可能に嵌合している。
【００２２】
このような構成をした本実施例のフォーカルプレンシャッタは、構成の一部を変更するようなことをせずに、そのまま、フィルムを使用するカメラにも、ＣＣＤなどの撮像素子を使用するカメラにも、採用することが可能である。そこで、次に行なう本実施例の作動説明においては、比較的採用される可能性の大きな、ＣＣＤを用いた一眼レフタイプの電子カメラの場合で説明することにする。
【００２３】
先ず、図１は撮影が終了した直後の状態を示している。そのため、被写体の光路を規制する長方形の開口部１ａは、５枚の羽根１６，１７，１８，１９，２０によって閉鎖されている。また、この閉鎖状態は、第２駆動部材４が、大きな付勢力を有する図示していないばねによって時計方向へ回転されていて、その押動部４ｃが、第１駆動部材３のピン３ｂを押し、ピン３ｃを孔１ｂの下方の端縁に押し付けることによって維持されている。
【００２４】
このような撮影直後の状態からセット状態への作動は、第１セット部材１０が、ローラ１０ａを操作されて、図示していないばねの付勢力に抗して時計方向へ回転されることによって行なわれる。そして、第１セット部材１０は、その回転によって、押動部１０ｂがローラ１１ａを押し、第２セット部材１１を図示していないばねの付勢力に抗して時計方向へ回転させ、また、第２セット部材１１は、その回転によって、連結部材１３を介して第３セット部材１２を時計方向へ回転させることになる。
【００２５】
また、第２セット部材１１は、その回転によって、ローラ１１ｂがローラ４ａを押して、第２駆動部材４を図示していないばねの付勢力に抗して反時計方向へ回転させていく。そのため、図示していないばねによって反時計方向へ回転するように付勢されている第１駆動部材３も、ピン３ｂが押動部４ｃに追従して回転し、ピン３ｃによってアーム１４を反時計方向へ回転させていく。しかしながら、この第１駆動部材３の回転は、そのピン３ｃが、第１駆動部材用第１係止部材５の係止部５ａに係止されて直ちに停止される。そのため、羽根１６，１７，１８，１９，２０は、僅かに作動されただけであるから、その停止状態では開口部１ａを完全に覆ったままである。そして、その後は、第２駆動部材４だけが、反時計方向への回転を続けていくことになる。
【００２６】
他方、第２セット部材１１の時計方向への回転と並行して、第３セット部材１２が時計方向へ回転しているので、カム形状をした押動部１２ａがローラ８ｂを押し、解除部材８を図示していないばねの付勢力に抗して反時計方向へ回転させていく。そのため、図示していないばねによって時計方向へ付勢されている第１駆動部材用第２係止部材６は、その被押動部６ｂが押動部８ａに追従して回転し、係止部６ａを第１駆動部材３の被係止部３ａの作動軌跡内に移動させていく。そして、その第１駆動部材用第２係止部材６の回転は、係合部６ｃが孔１ｄの縁に当接することによって停止される。そのときの状態が図２に示されている。
【００２７】
また、この図２の状態は、第３セット部材１２の背面側に設けられたピン１２ｃが、第１駆動部材用第１係止部材５の腕部５ｃの下端縁を僅かに押した状態でもある。そのため、第１駆動部材用第１係止部材５は、図示していない板ばねによって与えられる摩擦抵抗力に抗して僅かに時計方向へ回転され、腕部５ｃが緩衝部材２から離れた状態になっているが、この状態になっても、上記した第１駆動部材３の係止状態は維持されている。
【００２８】
そして、この状態からセット作動が僅かに進むと、第１駆動部材用第１係止部材５が更に時計方向へ回転されることによって、ピン３ｃの係止が解除される。そのため、第１駆動部材３は、図示していないばねの付勢力によって反時計方向へ回転されるが、その回転は第１駆動部材用第２係止部材６の係止部６ａによって阻止され直ちに停止される。従って、この場合にも、羽根１６，１７，１８，１９，２０は、僅かに作動されたことになるが、その停止状態では未だ開口部１ａを完全に覆ったままである。そのときの状態が図３に示されている。
【００２９】
その後、尚も各セット部材１０，１１，１２がセット作動を続けると、第２セット部材１１は、第２駆動部材４を時計方向へ回転するように付勢しているばねをオーバーチャージさせることによって、第２駆動部材４を、セット位置を越えたオーバーセット位置まで作動させる。他方、その第２セット部材１１は、それと並行して、ピン１１ｃによって周知のホールド部材の作動を可能にし、図示していない二つの鉄片部材を、それらに離反習性を付与しているばねの付勢力に抗して、夫々の電磁石に接触する位置まで作動させる。
【００３０】
その結果、それまで図示していない各鉄片部材によって図１に示す状態に維持されていた第２駆動部材用係止部材７と解除部材用係止部材９とが、図示していないばねの付勢力によって回転し、第２駆動部材用係止部材７は、その係止部７ａを第２駆動部材４の被係止部４ｂの作動軌跡内に深く臨ませ、解除部材用係止部材９は、その係止部９ａを解除部材８の被係止部８ｄの作動軌跡内に臨ませる。そして、第１駆動部材用第１係止部材５の腕部５ｄが緩衝部材２に当接することによって、各セット部材１０，１１，１２の作動が停止する。その停止状態が、図４に示されたオーバーセット状態である。
【００３１】
その後、セット部材１０は、直ちに、図１に示した初期位置への復帰作動を行わされる。それに伴って、第２セット部材１１も、図示していないばねの付勢力によってローラ１１ａが押動部１０ｂに追従して反時計方向へ回転し、それによって、連結部材１３を介して第３セット部材１２を反時計方向へ回転させるが、第１駆動部材用係止部材５は、その腕部５ｃが第３セット部材１２のピン１２ｃに追従せず、図示していない板ばねの付勢力によって、図４に示された位置を維持されたままでいる。
【００３２】
また、第２セット部材１１の反時計方向への回転によって、第２駆動部材４は、そのローラ４ａがローラ１１ｂに追従して時計方向へ回転することになるが、その回転は、直ちに被係止部４ｂが第２駆動部材用係止部材７の係止部７ａに係止されて停止する。また、それと並行して、解除部材８は、そのローラ８ｂが第３セット部材１２の押動部１２ａに追従して時計方向へ回転することになるが、その回転は、押動部８ａが第１駆動部材用第２係止部材６の被押動部６ｂを押す前に、被係止部８ｄが解除部材用係止部材９の係止部９ａに係止されて停止する。そして、各セット部材１０，１１，１２が図１の位置に復帰した状態が、本実施例のセット状態であり、その状態が図５に示されている。尚、セット部材１１が、このような初期位置へ復帰しても、上記した周知のホールド部材が、鉄片部材を電磁石に接触させた状態にホールドしている。
【００３３】
次に、撮影に先立って電源スイッチが閉じられると、各種の電子回路が働き、露光制御関連の回路がスタンバイ状態となる。そして、撮影に際して、カメラのレリーズボタンが押されると、一方では、ミラーの跳ね上げが行なわれ、他方では、上記した図示していない二つの電磁石に通電が行なわれる。それによって、図示していない各鉄片部材が夫々の電磁石に吸着保持された後、ホールド部材が鉄片部材の離反作動の軌跡外へ退く。その後、ミラーが安定した停止状態になると、二つの電磁石にうちの一方の電磁石に対する通電が断たれ、それに吸着されていた鉄片部材が電磁石から離反作動を行い、図５の状態にある解除部材用係止部材９の被押動部９ｂを押し、図示していないばねの付勢力に抗して時計方向へ回転させる。
【００３４】
その結果、解除部材用係止部材９の係止部９ａによる係止が解け、解除部材８は、ピン８ｃが孔１ｃの下端縁に当接するまで、図示していないばねの付勢力によって時計方向へ回転し、その過程で、押動部８ａが被押動部６ｂを押すことにより、第１駆動部材用第２係止部材６を図示していないばねの付勢力に抗して反時計方向へ回転させる。そのため、係止部６ａによる被係止部３ａの係止が解け、第１駆動部材３は、図示していないばねの付勢力によって反時計方向へ回転し、ピン３ｃがアーム１４を反時計方向へ回転させることによって、羽根１６，１７，１８，１９，２０を上方へ作動させていく。そして、第１駆動部材３が、そのピン３ｂを第２駆動部材４の押動部４ｃに当接させ、羽根１６，１７，１８，１９，２０を開口部１ａの上方位置へ格納させて停止した状態が、図６に示された状態である。
【００３５】
このようにして、開口部１ａが全開状態になると、ＣＣＤに対する所定の電荷の蓄積開始信号をトリガー信号として、露光制御回路が起動し、所定の制御秒時のカウントが開始される。そして、その制御秒時のカウントが終了すると、その出力信号によって、上記した図示していない二つの電磁石のうち、他方の電磁石に対する通電も断たれることになる。そのため、図示していない鉄片部材が電磁石から離反作動を行い、被押動部７ｂを押して第２駆動部材用係止部材７を反時計方向へ回転させる。
【００３６】
その結果、被係止部４ｂに対する係止部７ａの係止が解け、第２駆動部材４は、図示していないばねの付勢力によって時計方向へ回転するが、そのとき、押動部４ｃがピン３ｂを押しながら回転するので、第１駆動部材３も時計方向へ回転させられる。そのため、アーム１４もピン３ｃによって時計方向へ回転され、５枚の羽根１６，１７，１８，１９，２０は、隣接する羽根同士の重なりを小さくしつつ下方へ移動し、開口部１ａを閉じていく。そして、その閉じ作動の終了段階になると、第１駆動部材３のピン３ｃが第１駆動部材用第１係止部材５の被押動部５ｂを押すことになる。
【００３７】
それによって、第１駆動部材用第１係止部材５は反時計方向へ回転させられることになるが、この第１駆動部材用第１係止部材５は、図示していない板ばねによって軸方向へ付勢されていることから、その付勢に伴う摩擦抵抗力によって、第１駆動部材３と第２駆動部材４の回転が制動されることになる。そして、それらの駆動部材３，４の回転は、第１駆動部材用第１係止部材５の腕部５ｃが緩衝部材２に当接することによって停止する。
【００３８】
また、このとき、板ばねによる摩擦抵抗力によって制動を加えられ且つ緩衝部材２によって停止時における衝撃を吸収されているとはいえ、駆動部材３，４がバウンドして開口部１ａの一部を一時的に開いてしまうことがあり得るが、そのときには、既に、第１駆動部材用第１係止部材５の係止部５ａがピン３ｃのバウンド方向の作動軌跡内に入ってきているので、そのような不都合は生じない。このようにして、開口部１ａが閉じた後、画像書き込み装置などを介して被写体像が記憶媒体に記憶され、且つミラーがファインダ光学系による観察可能状態に復帰して、次の撮影に備えることになる。その状態が図１に示した状態である。
【００３９】
尚、上記の作動説明は、結像面にＣＣＤを配置した一眼レフカメラの場合で説明したが、特に詳しく説明するまでもなく、本実施例は結像面にフィルムを配置した一眼レフカメラの場合にも用いることが可能である。但し、その場合には、通常のように、先羽根（群）と後羽根（群）とによってスリットを形成するタイプのものとは、タイプが異なるものになることは言うまでもない。また、本実施例は５枚の羽根が二つのアームに枢支されているが、アームと羽根の数については、実施例の場合に限定されるものではない。しかしながら、特に羽根が１枚の場合には、アームの数は二つであることが好ましい。
【００４０】
また、上記の実施例においては、第１駆動部材用第１係止部材５の回転軸１ｆに板ばねを取り付けるようにしたことと、セット時において第１駆動部材３の係止を確実に行なえるようにしたために、複雑な構成を採用しているが、第１駆動部材用第１係止部材５による第１駆動部材３の係止が確実に行なえるのであれば、ねじりコイルばねによって、第１駆動部材用第１係止部材５に、反時計方向へ回転する付勢力を付与しておき、開き作動開始時において、実施例においては解除部材用係止部材９の被押動部９ｂを押す鉄片部材によって、その係止部５ａによる第１駆動部材３の係止を解除するようにすると、構成が格段に簡単となる。
【００４１】
また、上記の実施例においては、第１駆動部材３とアーム１４とを別部材として構成しているが、これらを単一部材として構成しても差し支えない。即ち、アーム１４を、ばねによって反時計方向へ回転するように付勢し、ピン３ｂ，３ｃに相当するピンをアーム１４に設け、シャッタ地板１の表面側で、第２駆動部材４の押動部４ｃが、そのピンを押し得るようにし、且つ第１駆動部材用第１係止部材５の係止部５ａが、そのピンを係止し得るように構成すればよい。
【００４２】
更に、上記の実施例においては、第１駆動部材用第１係止部材５が、二つの駆動部材３，４の作動を制動するように構成しているが、本発明は、そのような制動機能を有するものに限定されるものではなく、第１駆動部材３の係止機能を有するだけであっても差し支えない。また、本発明のシャッタは、実施例のように、ばねを駆動源として用いたものに限定されず、モータの往復作動によって、アームを往復作動させるようにしても差し支えない。
【００４３】
【発明の効果】
以上のように、本発明は、地板に枢着されている複数のアームに、平行リンク機構を構成するようにして所定数枚の羽根を取り付け、撮影開始信号によってそのアームの一つを往動させ、撮影終了信号によって復動させるようにしただけのものであるから、小型化と低コスト化が可能であって、簡易型のカメラ用フォーカルプレンシャッタとして極めて有効である。
【図面の簡単な説明】
【図１】実施例のシャッタを被写体側から視て左側の約半分を示した平面図であって、撮影が終了した直後の閉鎖状態を示したものである。
【図２】図１と同様にして示した実施例の平面図であって、セット作動を開始した直後の状態を示したものである。
【図３】図１及び図２と同様にして示した実施例の平面図であって、セット作動中における図２よりも後の状態を示したものである。
【図４】図１〜図３と同様にして示した実施例の平面図であって、オーバーセット状態を示したものである。
【図５】図１〜図４と同様にして示した実施例の平面図であって、セット状態を示したものである。
【図６】図１〜図５と同様にして示した実施例の平面図であって、開放状態を示したものである。
【符号の説明】
１                      シャッタ地板
１ａ                    開口部
１ｂ，１ｃ，１ｄ，１１ｄ  孔
１ｅ，１ｆ，１ｇ，１ｈ，１ｉ，１ｊ，１ｋ，１ｍ，１２ｂ  軸
２                      緩衝部材
３                      第１駆動部材
３ａ，４ｂ，８ｄ  被係止部
３ｂ，３ｃ，８ｃ，１１ｃ，１２ｃ  ピン
４                      第２駆動部材
４ａ，８ｂ，１０ａ，１１ａ，１１ｂ  ローラ
４ｃ，８ａ，１０ｂ，１２ａ  押動部
５                      第１駆動部材用第１係止部材
５ａ，６ａ，７ａ，９ａ  係止部
５ｂ，６ｂ，７ｂ，９ｂ  被押動部
５ｃ，５ｄ              腕部
６                      第１駆動部材用第２係止部材
６ｃ                    係合部
７                      第２駆動部材用係止部材
８                      解除部材
９                      解除部材用係止部材
１０                    第１セット部材
１１                    第２セット部材
１２                    第３セット部材
１３                    連結部材
１４，１５              アーム
１６，１７，１８，１９，２０  羽根
【図１】
0004386995.tif 000002
【図２】
0004386995.tif 000003
【図３】
0004386995.tif 000004
【図４】
0004386995.tif 000005
【図５】
0004386995.tif 000006
【図６】
0004386995.tif 000007